(57)【要約】【課題】床根太用フロ−リング下に、呼び径（Ａ）１０を超え１６以下程度の太い外径管の長尺放熱管を容易に配管することができる配管案内具と床根太用フロ−リングを支持する床支持具とを一台に兼用させた配管案内兼床支持具Ａに、更に、床根太用フロ−リングを床支持具上に固定させ、更に容易に床根太用フロ−リングを脱着出来るフロ−リング固定具を備える。【解決手段】円筒状台１と配管押え円盤３とでなる逆帽子状の配管案内兼床支持具Ａを形成させ、円筒状台１内に、床根太用フロ−リング７の雌ザネ８内に一部を挿入して床根太用フロ−リング７を配管案内兼床支持具Ａ上に固定するフロ−リング薄板固定具Ｂを適宜な位置に螺着して設け、フロ−リング薄板固定具Ｂの螺子２４を離脱させることで床根太用フロ−リング７の固定を解除する。【選択図】        図１
2005220678.tif 000002
【特許請求の範囲】
【請求項１】
適宜な材質を用い、底板（４）を持つた円筒状台（１）を、所定の高さと底板直径を持たせて設け、円筒状台（１）の円筒端縁（２）の外周縁から、円筒端縁（２）を外方向に水平に延長して拡げて、所定の幅を持たせた配管押え円盤（３）となして、略鍔付の逆帽子状の配管案内兼床支持具（Ａ）を形成させ、円筒端縁（２）の直径線から底板（４）の直径線上への垂線で二等分してなる左側円筒状台（１ａ）内に、配管押え円盤（３）と同高としたフロ−リング受台（５）と、その下側にフロ−リング受台固定台（２７）とを適宜な材質を用いて内設し、フロ−リング受台（５）の一端側に備えた荷重受壁面（６）線を円筒端縁（２）の直径線に添わせ、フロ−リング受台（５）をフロ−リング受台固定台（２７）に螺着し、フロ−リング受台固定台（２７）を適宜な個所に固着し、配管案内兼床支持具（Ａ）とフロ−リング受台（５）上に載置して用いる根太用フロ−リング（７）の、雌ザネ（８）の雌ザネ端縁（９）線を、荷重受壁面（６）線に合致させるよう載置させ、別個に、適宜な幅で、約０．２ミリ前後厚の金属平板を用い、雌ザネ（８）の奥壁（１０）と同高とした雌ザネ奥壁用薄板（１１）を垂直に、雌ザネ下板（１２）と同長とした雌ザネ奥行用薄板（１３）を水平になるよう折曲げ、更に雌ザネ引張用薄板（１４）を垂直に、なお更に固定用薄板（１５）を水平になるよう、一連に略Ｗ形状に折曲げて形成させてなるフロ−リング薄板固定具（Ｂ）を設け、雌ザネ奥行用薄板（１３）を、雌ザネ（８）内の雌ザネ下板（１２）上に挿入した状態で、フロ−リング薄板固定具（Ｂ）を右側円筒状台（１ｂ）内に併設し、適宜な個所に螺着して用いることを特徴とする、根太用フロ−リングの、フロ−リング固定具付配管案内兼床支持具。
【請求項２】
フロ−リング薄板固定具（Ｂ）に代えて、適宜な幅で、約１ミリ前後厚の金属平板を用い、長さを雌ザネ下板（１２）より約１ミリ前後短くした雌ザネ奥行用厚板（１６）を水平に、雌ザネ引張用厚板（１７）を垂直に、固定用厚板（１８）を水平に、それぞれを一連に略Ｚ形状に折曲げて形成させてなるフロ−リング厚板固定具（Ｃ）を設け、雌ザネ奥行用厚板（１６）を、雌ザネ（８）内の雌ザネ下板（１２）上に挿入した状態で、フロ−リング厚板固定具（Ｃ）を右側円筒状台（１ｂ）内に併設して適宜な個所に螺着し、雌ザネ（８）内に挿入した雌ザネ奥行用厚板（１６）の位置に、進入接合する予定の根太用フロ−リング（７）の雄ザネ（１９）の下面側を高さ方向に約１ミリ前後削り取り、雌ザネ奥行用厚板挿入部（２０）を形成させて用いることを特徴とする、請求項１記載のフロ−リング固定具付配管案内兼床支持具。
【請求項３】
配管押え円盤（３）と同高としたフロ−リング受台（５）の上面の一部に、僅かな面積と深さの糊溜部（２１）を形成させ、更に雌ザネ下板（１２）の下面側と接触するフロ−リング受台（５）の上面部分を除き、残余の根太用フロ−リング（７）下面側と接触するフロ−リング受台（５）上面に、１個以上複数個の適宜なフロ−リングずれ止め爪（２２）を、配管押え円盤（３）面より僅かに突出させて配設したことを特徴とする、請求項１記載のフロ−リング固定具付配管案内兼床支持具。
【発明の詳細な説明】
【技術分野】
【０００１】
本発明は、床下地板と根太用フロ−リング（複合及び単層を指す。）との間に用い、詳細には、該フロ−リングを脱着容易とするフロ−リング固定具を併設した該フロ−リングの床支持具であり、単体の点支持具であることにより、該フロ−リング床内に、主として呼び径（Ａ）１０を超え１６以下程度（以下、呼び径（Ａ）１０を超え１６以下程度の管を、太い外径管と称する。）の長尺温水床暖房放熱管（以下、長尺放熱管と略称する。）の配管空間を確保すると共に、容易に配管させることが出来る配管案内具を兼用する根太用フロ−リング用の、フロ−リング固定具付配管案内兼床支持具に関するものである。
【背景技術】
【０００２】
従来、フロ−リング下に温水床暖房放熱管を設けるにおいて大きな関心点は、フロ−リングを容易に脱着して、床内の温水放熱管の接続個所及びその他の個所からの漏水の有無を容易に点検ができないことである。呼び径（Ａ）１０以下管（以下、呼び径（Ａ）１０以下管を、細い外径管と称する。）の、なまし銅管や合成樹脂温水管を、配管溝付配管パネルに挿入したり、複数の配管済配管パネルを床下地板上に配設して放熱管相互を連結管具で接続し、その上面側にフロ−リングを貼着したり釘打し、或るいはフロ−リングと放熱管が既に一体化された製品を室内に敷設するフロ−リング付温水床暖房設備が広く用いられている。
【０００３】
昨今では経済性や作業性の点から、なまし銅管を用いる場合より合成樹脂温水管（主として架橋ポリエチレン管）を用いる場合が多いようである。（以下、長尺放熱管は、架橋ポリエチレン管等の合成樹脂温水管を指す。）
【０００４】
前記のように細い外径管は比較的に軟らかく曲げ半径も小さいため配管溝に容易に挿入して用いることが出来るため中小面積室の床暖房用に広く用いられているが、太い外径管は硬く柔軟性に欠け、曲げ半径が大きく、配管溝に容易に挿入して用いることが困難である。従つて中小面積室の床暖房用には太い外径管は広く用いられていない。
【０００５】
しかし、細い外径管は配管抵抗が大きい。前記においては並列配管を行うことで解決しているが、作業性や経済性の点から、より細い管を用いる例が多く、よつて並列配管数が増加し接続個所がより増加する。接続個所を一ケ所に集め、点検箱に収納させ対応しているが、複雑配管化する。経年劣化による漏水の危険は接続個所以外を含めて充分にある。また細い外径管を用いる場合では、所定の発熱量を得るには高温水を循環させる必要があり、よつて室内が対流暖房化したり、フロ−リングへの伝熱が不均衡となり伸縮差により床鳴り等がする問題点が生じる。
【０００６】
従来技術として、中小面積室のフロ−リングの床内に、太い外径管の長尺放熱管を用いる場合では、床下地上に長尺木材でなる床根太を設け、太い外径管の長尺放熱管の曲げ個所に接する床根太を切断し、各種の管止め具を用いて配管を固定しながら配管を行う方法を用いている。しかし、一本の太い外径管の長尺放熱管を個々に固定しながら配管を行うことは甚だ作業性が悪い。
【０００７】
広い面積室に太い外径管の長尺放熱管を用いる場合では、捨てコンクリ−ト床下地上にコンクリ−ト用溶接金網を布設し、太い外径管の長尺放熱管を溶接金網に結束しながら配管し、その配管上からコンクリ−トを流し込んで、長尺放熱管埋設コンクリ−ト床を設け、その床上に長尺木材でなる床根太を設けてフロ−リングを固着したり、埋設コンクリ−ト床にフロ−リングを直接に固着して用いる技術が広く用いられている。しかし、中小面積室の場合ではコンクリ−トを打設するには室面積が狭く、作業性や経済性からあまり広く用いられていない。
【０００８】
長尺放熱管は約１２０米程度の長さで市販されており、中小面積室の場合では、この長さの範囲内で一室を一本の太い外径管の長尺放熱管で必要配管長が殆ど得られる。不足する場合でも並列配管数は最少限で済む。よつて、太い外径管の長尺放熱管を用いれば、無接続で漏水の心配がなく、低温水を利用できるため低温輻射熱床暖房が得られ、更に低温水を利用できるため、フロ−リングの伸縮差が小さく、床鳴りの少ない床暖房が得られる。しかしながら、従来技術において、作業性が容易で経済的に太い外径管の長尺放熱管を配管することが出来る技術は知られていない。
【０００９】
従来、複合又は単層のフロ−リングを用いる場合は、長尺木材でなる床根太を設け、床根太用フロ−リングは床根太へ、直貼用フロ−リングは捨貼板に釘打ち又は接着して床を仕上げている。従つて直貼用フロ−リングは勿論のこと、床根太用フロ−リングでも、フロ−リングを床根太から離脱するには、フロ−リングを破壊しなければならず、再利用は困難であり不経済性が高い。容易に離脱着できないため、床内に配管した床暖房放熱管の保守管理は事実上出来ず、漏水を発見してからの対応となり被害は大きい。簡単に容易に安価にフロ−リングを離脱着することが出来る、従来技術による、フロ−リング固定具は知られていない。
【００１０】
前記の太い外径管の長尺放熱管が有する配管作業性の悪い問題点を解決し、太い外径管の長尺放熱管を容易に配管可能とする技術（発明の名称「床暖房放熱体の骨格躯体ユニツト及びそれを用いてなる放熱体」特願２００３−７１１１７）がある。鋼棒で配管誘導柱と放熱管離脱押えとを、コの字状に形成させて蓄伝熱副骨格とし、同じく方形に形成させて蓄伝熱主骨格とし、放熱管離脱押えの棒端に放熱鋼環を設けて溶接し、蓄伝熱副骨格複数を蓄伝熱主骨格に溶接してなる床暖房放熱体の骨格躯体ユニツトである。
【００１１】
該構成の該ユニツトを複数台床基盤上に連設して骨格躯体ユニツトを用いてなる放熱体を形成させ、床土台収納室内に表装床土台を収納させて表装床材を支持させ、且つ固着させ、配管路室内に、複数個の配管誘導柱に接触させながら太い外径管の長尺温水放熱管を配管すると、容易に配管誘導柱に固定されて配管することが出来る。
【００１２】
しかしながら、太い外径管の長尺温水放熱管を容易に配管する技術が得られたが、蓄熱と伝熱の双方を得るために鋼棒で骨格躯体ユニツトを形成させるため、重量と容積が大きくなると共に、製作工程数が多く、また手作業製作的部分が多くあり、よつて、梱包容積が大きく、保管、運送各費及び製作費が高くなる不経済性がある。
【００１３】
また温水放熱管と配管誘導柱との、更に放熱鋼環と表装床材との接触面積が少ないために、高効率の伝熱が得られない。
【００１４】
更に表装床土台は木質系の材質でなるため、表装床材を適宜に固着としながらも、実質的には釘打ち又は接着を選択せざるを得ず、表装床材を容易に離脱着させることが出来ない。
【００１５】
なお更に床下地板下に断熱材を設ける場合では問題はないが、床下地板上に断熱材を設ける場合では、表装床土台下と一部の骨格躯体ユニツト下に、床荷重支持材を必要とし、よつて資材と工程数が増加する。床荷重支持材を省略し、表装床土台下と一部の骨格躯体ユニツトとを床下地板上に直接に設けると、断熱材を骨格躯体ユニツトの固着脚と蓄伝熱主骨格上に設けることになり、この場合では蓄伝熱主骨格の蓄熱効果は得られず、逆に床下地板下側への漏熱原因となる。
【発明の開示】
【発明が解決しようとする課題】
【００１６】
この発明は、中小面積室の床根太用フロ−リング下に太い外径管の長尺放熱管が、配管作業性が悪く安価に配管出来きなかつたために、無接続で漏水の心配がない放熱管が利用出来ず、低温輻射熱床暖房が利用出来ず、更にフロ−リングの床鳴り等が生じやすかつた点と、該フロ−リングが容易に離脱着出来ないため、放熱管等の保守点検及び漏水対応に容易に対処出来きなかつた点、更に該フロ−リングの更新が容易に出来きなかつた点である。
【課題を解決するための手段】
【００１７】
請求項１に於いては、適宜な材質を用い、底板４を持つた円筒状台１を、所定の高さと底板直径を持たせて設け、円筒状台１の円筒端縁２の外周縁から円筒端縁２を外方向に水平に延長して拡げて、所定の幅を持たせた配管押え円盤３となして、略鍔付の逆帽子状の配管案内兼床支持具Ａを形成させ、円筒端縁２の直径線から底板４の直径線上への垂線で二等分してなる左側円筒状台１ａ内に、配管押え円盤３と同高としたフロ−リング受台５と、その下側にフロ−リング受台固定台２７とを適宜な材質を用いて内設し、フロ−リング受台５の一端側に備えた荷重受壁面６線を円筒端縁２の直径線に添わせ、フロ−リング受台５をフロ−リング受台固定台２７に螺着し、フロ−リング受台固定台２７を適宜な個所に固着し、配管案内兼床支持具Ａとフロ−リング受台５上に載置して用いる根太用フロ−リング７の、雌ザネ８の雌ザネ端縁９線を、荷重受壁面６線に合致させるよう、根太用フロ−リング７を載置させ、別個に、適宜な幅で、約０．２ミリ前後厚の金属平板を用い、雌ザネ８の奥壁１０と同高とした雌ザネ奥壁用薄板１１を垂直に、雌ザネ下板１２と同長とした雌ザネ奥行用薄板１３を水平になるよう折曲げ、更に雌ザネ引張用薄板１４を垂直に、なお更に固定用薄板１５を水平になるよう、一連に略Ｗ形状に折曲げて形成させてなるフロ−リング薄板固定具Ｂを設け、雌ザネ奥行用薄板１３を、雌ザネ８内の雌ザネ下板１２上に挿入した状態で、フロ−リング薄板固定具Ｂを右側逆円錐台形容器台１ｂ内に併設し、適宜な個所に螺着して用いることを特徴とする、根太用フロ−リング用の、フロ−リング固定具付配管案内兼床支持具の構成である。
【００１８】
床下地板２３に螺着された複数個の配管案内兼床支持具Ａの円筒状台１に、長尺放熱管２５を接触させながら配管することで円筒状台１は配管案内を行い、配管押え円盤３は長尺放熱管２５の跳上がりや離脱を防止し、必要とする設計配管が行える。螺着された複数個の配管案内兼床支持具Ａは載置する根太用フロ−リング７を支持する。
【００１９】
載置した根太用フロ−リング７の雌ザネ８内に挿入されたフロ−リング薄板固定具Ｂの雌ザネ奥壁用薄板１１と雌ザネ奥行用薄板１３は、次に進入する根太用フロ−リング７の雄ザネ１９により雌ザネ８内に固定される。
【００２０】
フロ−リング薄板固定具Ｂの固定用薄板１５を適宜な個所に螺着することにより、雌ザネ８内を介して根太用フロ−リング７は配管案内兼床支持具Ａ上に固定される。固定用薄板１５の螺子を離脱させることで、根太用フロ−リング７は固定から解除される。
【００２１】
請求項２に於いては、フロ−リング薄板固定具Ｂに代えて、適宜な幅で、約１ミリ前後厚の金属平板を用い、長さを雌ザネ下板１２より約１ミリ前後短くした雌ザネ奥行用厚板１６を水平に、雌ザネ引張用厚板１７を垂直に、固定用厚板１８を水平に、それぞれを一連に略Ｚ形状に折曲げて形成させてなるフロ−リング厚板固定具Ｃを設け、雌ザネ奥行用厚板１６を雌ザネ８内の雌ザネ下板１２上に挿入した状態で、フロ−リング厚板固定具Ｃを右側円筒状台１ｂ内に併設して適宜な個所に螺着し、雌ザネ８内に挿入した雌ザネ奥行用厚板１６の位置に進入接合する予定の根太用フロ−リング７の雄ザネ１９の下面側を高さ方向に約１ミリ前後削り取り、雌ザネ奥行用厚板挿入部２０を形成させて用いることを特徴とする、請求項１記載のフロ−リング固定具付配管案内兼床支持具の構成である。
【００２２】
雌ザネ奥行用厚板１６を、雌ザネ下板１２上に挿入させ、雌ザネ端縁９に約１ミリ前後叩込むことにより、余分な厚みは雌ザネ端縁９に喰込んで吸収され、雌ザネ奥行用厚板１６は、次に接合する根太用フロ−リング７の高さを削り取つてなる雌ザネ奥行用厚板挿入部２０の空間内に納まり、フロ−リング厚板固定具Ｃの固定用厚板１８を適宜な個所に螺着することにより、雌ザネ８内の雌ザネ下板１２を介して根太用フロ−リング７は配管案内兼床支持具Ａ上に固定される。固定用厚板１８の螺子を離脱させることで、根太用フロ−リング７は固定から解除される。
【００２３】
請求項３に於いては、配管押え円盤３と同高としたフロ−リング受台５の上面の一部に僅かな面積と深さの糊溜部２１を形成させ、更に雌ザネ下板１２の下面側と接触するフロ−リング受台５の上面部分を除き、残余の根太用フロ−リング７下面側と接触するフロ−リング受台５上面に、１個以上複数個の適宜なフロ−リングずれ止め爪２２を、配管押え円盤３面より僅かに突出させて配設したことを特徴とする、請求項１記載のフロ−リング固定具付配管案内兼床支持具の構成である。
【００２４】
フロ−リング受台５上に根太用フロ−リング７を載置するに際し、糊溜部２１に変成シリコ−ン系接着剤を滴下して用いることで、フロ−リングずれ止め爪２２が雌ザネ下板１２の下面側を除く根太用フロ−リング７下面側に喰込むと共に接着し、双方で根太用フロ−リング７が横ずれしたり浮上ることを更に床鳴りを効果的に防止する。
【発明の効果】
【００２５】
請求項１及び２に於いて、従来のフロ−リング下に用いる長尺の直線支持型床根太と相違して、単体の点支持型の配管案内兼床支持具Ａである。点支持のため、根太用フロ−リング７下に一連の配管空間が得られ、該配管案内兼床支持具Ａの円筒状台１が配管案内具を兼用し、よつて太い外径管の長尺放熱管２５を、円筒状台１に接触させながら設計配管順路に添わせて容易に配管させることが可能となつた。更に配管押え円盤３が該長尺放熱管２５の跳上がりを押さえ一層容易に配管させることが出来る。一連の空間の配管室を形成するため、温度差の無い空気室が得られ、根太用フロ−リング７を均等に加温する。
【００２６】
該配管案内兼床支持具Ａを金属材で形成させた場合では、該長尺放熱管２５の温水熱が円筒状台１から配管押え円盤３を経由して根太用フロ−リング７に効果的に伝熱する。
【００２７】
該配管案内兼床支持具Ａの円筒状台１の高さを、床高に制限が無い場合では、用いる太い外径管の長尺放熱管２５を２段重ねにして用いる高さとすることも可能であり、更に配管押え円盤３の円盤幅を、太い外径管の長尺放熱管２５を並列配管することが出来る円盤幅を用いることも可能であり、よつて、床内に２段重ね、や並列配管が可能となり、配管の自由度は一層向上すると共に、温度差の無い均等な床暖房面が得られる。また反対に、重点床暖房面を構成させることも容易に出来る。太い外径管の長尺放熱管２５を用いることにより、低温水を循環させるため、２段重ね、や並列配管の接触配管を行つても、太い外径管の長尺放熱管２５に支障は発生しない。
【００２８】
中小面積室に太い外径管の長尺放熱管２５を用いると、市販の長尺放熱管は約１２０米程度の長さがあり、一室を一本の太い外径管の長尺放熱管２５で必要な放熱管長さを得ることが可能である。よつて、床内無接続で漏水の心配のない温水放熱管が得られ、低温水を循環させて低温輻射熱床暖房が得られる。低温水を循環させるため根太用フロ−リング７に温度差が生じず、伸縮差による床鳴りの発生を低下させる。該配管案内兼床支持具Ａは大量生産に適した形状であり、安価に得られる。
【００２９】
フロ−リング薄板固定具Ｂ又はフロ−リング厚板固定具Ｃが、根太用フロ−リング７の雌ザネ８内に挿入され、雌ザネ８と雄ザネ１９とにより固定され、雌ザネ８内に釘、螺子等で固定されていない。よつて容易に離脱させることが出来る。太い外径管の長尺放熱管２５を用いることにより、床内無接続で漏水の心配のない温水放熱管が得られ上に、フロ−リング薄板固定具Ｂ又はフロ−リング厚板固定具Ｃの螺着を解除することで、根太用フロ−リング７が容易に離脱着出来るため、一層信頼性の高い温水床暖房が得られる。
【００３０】
併設のフロ−リング薄板固定具Ｂ又はフロ−リング厚板固定具Ｃを用いて根太用フロ−リング７を固定する機能を利用するのが当然のことであるが、該固定具Ｂ又はＣを用いずに、配管案内具と床支持具との機能のみを利用することが出来る。室内で特に歩行頻度の高い場所、例えば出入口前、出入口からの通路となる床面等の根太用フロ−リング７下側内に固定具Ｂ又はＣ無しの該配管案内兼床支持具Ａを挿入して用いることで、一層の床鳴り防止効果が得られる。
【００３１】
請求項３に於いて、荷重変化と温度変化の大きい根太用フロ−リング７の下面側を、糊溜部２２に溜めた変成シリコ−ン系接着剤と、フロ−リングずれ止め爪２３が根太用フロ−リング７下面側に喰込むと共に接着し、双方で根太用フロ−リング７が横ずれしたり浮上ることを更に床鳴りを効果的に防止する。
【発明を実施するための最良の形態】
【００３２】
金属材で配管案内兼床支持具Ａを形成させることにより、多量生産に適し安価に得られ、更に伝熱性を有効に用いられる。円筒状台１の内部空間内に、フロ−リング受台５や、フロ−リング薄板固定具Ｂ又はフロ−リング厚板固定具Ｃを収容できた。よつて、コンパクトな根太用フロ−リング用の、フロ−リング固定具付配管案内兼床支持具が実現した。
【実施例１】
【００３３】
図１ａはフロ−リング薄板固定具Ｂを用いた根太用フロ−リング固定具付配管案内兼床支持具Ａの一部切欠斜視図、図１ｂは平面図、図１ｃは図１ｂのＡ−Ａ部の断面図、図１ｄはフロ−リング薄板固定具Ｂの斜視図である。図中の白抜き矢印は雄ザネ１９の進入方向を示す。
【００３４】
図１ａ、ｂ、ｃ、ｄにおいて、配管案内兼床支持具Ａは適宜な材質として、金属材、耐熱合成樹脂材、木質系材等が利用でき、金属材としては、鋼、ステンレス、アルミ等の板材をプレス加工して、他にダイキャスト加工等して用いられ、金属材を用いると伝熱性を有効に利用することができ、太い外径管の長尺放熱管２５の放熱を根太用フロ−リング７に効果的に伝熱させる利点があり、適した材料である。以下は、配管案内兼床支持具Ａを鋼板をプレス成形加工してなし、防錆処理して用いた例として説明する。
【００３５】
市販の複合の根太用フロ−リング７の幅は、主として３００ミリ、３０３ミリ等がある。複合の根太用フロ−リング７に配管案内兼床支持具Ａを用いた場合では、配管案内兼床支持具Ａを雌ザネ端縁９と雄ザネ端縁２６との接合線下に用いるため、該フロ−リング７の幅３００ミリの両端縁に、配管案内兼床支持具Ａを対向させて設け、配管挿入スペ−ス幅を５０ミリ用いたとすると、配管押え円盤３の半径は最大約１２５ミリ以下まで得られることになる。
【００３６】
太い外径管の長尺放熱管２５を単数か並列配管の何れを用いるかにより、配管押え円盤３の幅が決まり、例えば、該長尺放熱管２５として呼び径（Ａ）１３を用いた場合では、その外径は１７ミリあり、単数を用いると約１７ミリあればよく、並列配管すると約３４ミリ程度の幅が必要となる。よつて、並列配管をした場合では、円筒状台１の底板４の半径は最大約９０ミリ以下まで得られることになる。
【００３７】
しかし、該長尺放熱管２５は曲げ半径が大きく、配管に際し底板４の直径が、１８０ミリであつても５０ミリであつても配管作業性に特に差異はなく、円筒状台１の底板４の直径は、円筒状台１が床荷重を支持可能である直径が必要である。使用する円筒状台１の個数や設置する相互間の間隔から考慮して適宜な直径を用いることが出来る。また、円筒状台１の厚みも前記から適宜な厚みを用いる。底板４の直径より円筒端縁２の直径を僅かに長くして用いてもよく、長くすることで、円筒状台１を積み重が出来、保管時の容積を減少させることが出来る利点が得られる。
【００３８】
円筒状台１の高さは、該長尺放熱管２５を単段か二段重ね配管の何れにするかにより、決まり、例えば、該長尺放熱管２５として呼び径（Ａ）１３を用いた場合では、その外径は１７ミリあり、単段ならば約１７ミリあればよく、床高さに制限がなければ二段重ね配管をすると約３４ミリが必要となり、床下地板２３上に板状断熱材２８を敷設するとその厚み分を加算した高さとなる。
【００３９】
左側円筒状台１ａ内に設けるフロ−リング受台５及びフロ−リング受台固定台２７の適宜な材質としては、金属材、耐熱合成樹脂材等が利用できる。フロ−リング受台５では鋼、ステンレス、アルミ板材を折曲げ加工して用いれば容易に安価に得られる。円筒状台１をダイキャスト加工で得る場合では、フロ−リング受台固定台２７は円筒状台１と一体的な成形品として得られる。以下は、双方を鋼板を折曲げ加工して、防錆処理して用いた例として説明する。
【００４０】
フロ−リング受台固定台２７は鋼板を略コの字状に折曲げ加工して、フロ−リング受台５の下面側に接触させて、フロ−リング受台５が受ける床荷重を支持して底板４を介して床下地板２３に支持させる。底板４の中心点に螺子孔を開孔し、フロ−リング受台固定台２７にも導通する螺子孔を開孔し、双方を螺子２４を用いて床下地板２３に螺着すると双方が強固に経済的に床下地板２３に固着する。
【００４１】
配管押え円盤３と同高としたフロ−リング受台５は鋼板を略コの字状に折曲げ加工してなり、フロ−リング受台固定台２７上に載置して床荷重をフロ−リング受台固定台２７に支持させる。フロ−リング受台５をフロ−リング受台固定台２７の適宜な位置に螺子２４を用いて螺着し、離脱着を容易とする。フロ−リング受台５の他端側は底板４を介して床下地板２３に支持させる。
【００４２】
フロ−リング受台５の荷重受壁面６線に、根太用フロ−リング７の雌ザネ８の雌ザネ端縁９線を合致させるように根太用フロ−リング７を配管案内兼床支持具Ａとフロ−リング受台５上に載置する。金属平板として、約０．２ミリ前後厚の鋼板又はステンレス板で、適宜な幅として、フロ−リング受台５の幅内に納まる幅を用い、略Ｗ形状に折曲げて形成させてなるフロ−リング薄板固定具Ｂを設ける。
【００４３】
載置したフロ−リング受台５上の根太用フロ−リング７の雌ザネ８内に、フロ−リング薄板固定具Ｂの雌ザネ奥壁用薄板平板１１と雌ザネ奥行用薄板１３とを挿入し、根太用フロ−リング７の残材の雄ザネ１９を治具として用い、この雄ザネ治具の雄ザネ１９を用い、挿入した雌ザネ奥壁用薄板平板１１と雌ザネ奥行用薄板１３とを、雌ザネ８内に軽く叩込むことにより、雌ザネ奥壁用薄板平板１１は奥壁１０に接触し、所定の位置に納まる。
【００４４】
雌ザネ引張用薄板１４の長さは、雌ザネ奥行用薄板１３を雌ザネ８内の雌ザネ下板１２上に挿入した状態で、根太用フロ−リング７を下方に垂直に引張ることが出来る長さが必要で、僅かでも長過ぎると引張り効果が得られない。右側円筒状台１ｂ内の適宜な個所として、底板４を介して床下地板２３に固定用薄板１５を螺着するとき、フロ−リング受台固定台２７の底板４側となる略コの字状の一端を右側円筒状台１ｂ内に延長させる。
【００４５】
雌ザネ引張用薄板１４の長さを、延長させたフロ−リング受台固定台２７の上面と雌ザネ下板１２面間との長さより僅かに短くし、固定用薄板１５と延長させたフロ−リング受台固定台２７の上面間にスプリング座金２９を挿入し、更に固定用薄板１５上側にＬ状引張座金３０を挿入し、底板４の中心点を通りフロ−リング受台５の荷重受壁面６線に直交する直径線上に螺子２４を用いて固定用薄板１５を床下地板２３に螺着する。よつて、雌ザネ引張用薄板１４は緊張し、フロ−リング薄板固定具Ｂは根太用フロ−リング７を配管案内兼床支持具Ａとフロ−リング受台５上に固定する状態になる。
【００４６】
雌ザネ８内の雌ザネ下板１２上に納まつた雌ザネ奥行用薄板１３上に、次に接合する根太用フロ−リング７の雄ザネ１９を挿入させると、雌ザネ奥壁用薄板１１と雌ザネ奥行用薄板１３は雌ザネ８と雄ザネ１９に確実に固定される。よつて、根太用フロ−リング７は配管案内兼床支持具Ａとフロ−リング受台５上に固定される。螺子２４を離脱させることで、根太用フロ−リング７は固定から解除される。
【００４７】
図２ａはフロ−リング厚板固定具Ｃを用いた根太用フロ−リング固定具付配管案内兼床支持具Ａの縦断面図、図２ｂは雌ザネ８内部に雌ザネ奥行用厚板１６が入つた状態を示す拡大縦断面図、図２ｃはフロ−リング厚板固定具Ｃの斜視図、図２ｄは雄ザネ１９の雌ザネ奥行用厚板挿入部２０を示す斜視図である。
【００４８】
図２ａ、ｂ、ｃ、ｄにおいて、フロ−リング薄板固定具Ｂに代えて、金属平板として、約１ミリ前後厚の鋼板又はステンレス板で、適宜な幅として、フロ−リング受台５の幅内に納まる幅を用い、略Ｚ形状に折曲げて形成させてなるフロ−リング厚板固定具Ｃを設ける。
【００４９】
配管案内兼床支持具Ａとフロ−リング受台５上に載置した根太用フロ−リング７の雌ザネ８内に雌ザネ奥行用厚板１６を雌ザネ８内の雌ザネ下板１２上に挿入した状態で、約１ミリ前後厚の雌ザネ引張用厚板１７を雌ザネ下板１２の端縁に叩込み、端縁内に約１ミリ前後厚を吸収させ納め、フロ−リング厚板固定具Ｃを右側円筒状台１ｂ内に併設する。
【００５０】
適宜な螺着個所として、フロ−リング受台固定台２７の底板４側となる略コの字状の一端を右側円筒状台１ｂ内に延長させ、延長させた一端を更にＷ状に折曲げて、螺子２４を納さめる事が出来るフロ−リング固定具螺着部３１を形成させてフロ−リング厚板固定具Ｃを螺着させることが出来る。
【００５１】
フロ−リング厚板固定具Ｃの雌ザネ引張用厚板１７の長さを、雌ザネ下板１２面とフロ−リング固定具螺着部３１面間の長さより僅かに短くし、固定用厚板１８とフロ−リング固定具螺着部３１面間にスプリング座金２９を挿入し、更に固定用厚板１８上側にＬ状引張座金３０を挿入し、螺子２４を用いて固定用厚板１８をフロ−リング固定具螺着部３１に螺着する。尚、フロ−リング固定具螺着部３１の一部を折曲げて、右側円筒状台１ｂに螺着又は溶接して固着すれば、更にフロ−リング受台固定台２７は一層固定する。必要により適宜に固定して用いることが出来る。
【００５２】
フロ−リング厚板固定具Ｃの適宜な螺着個所として、フロ−リング固定具螺着部３１に螺着する以外に、前述のフロ−リング薄板固定具Ｂの螺着個所としての、延長させたフロ−リング受台固定台２７上から固定用厚板１８を螺子２４で床下地板２３に螺着して用いる事も出来る。この場合の螺着位置も前述のフロ−リング薄板固定具Ｂと同様位置とする。また、フロ−リング薄板固定具Ｂの固定用薄板１５の螺着個所も、床下地板２３に螺着して用いる以外に、フロ−リング固定具螺着部３１に螺着させて用いる事も出来る。その他に適宜な螺着個所が得られれば、フロ−リング薄板固定具Ｂ又は、フロ−リング厚板固定具Ｃは何れの個所に螺着して用いてもよい。
【００５３】
約１ミリ前後厚のフロ−リング厚板固定具Ｃの雌ザネ奥行用厚板１６が雌ザネ８内に納まると、挿入した雌ザネ奥行用厚板１６の位置に進入接合する予定の根太用フロ−リング７の雄ザネ１９が進入出来ない。よつて、該位置に進入予定の雄ザネ１９の下面側を高さ方向に約１ミリ前後削り取り、雌ザネ奥行用厚板挿入部２０を形成させて用いることにより、雄ザネ１９は進入可能となり、雌ザネ奥行用厚板１６は雌ザネ８と雄ザネ１９により固定され、根太用フロ−リング７は配管案内兼床支持具Ａとフロ−リング受台５上に固定される。螺子２４を離脱させることで、根太用フロ−リング７は固定から解除される。
【００５４】
図３ａは糊溜部２１とフロ−リングずれ止め爪２２を備えたフロ−リング受台５を有する配管案内兼床支持具Ａの平面図、図３ｂは図３ａのＢ−Ｂ部の断面図、図３ｃは他例のフロ−リングずれ止め爪２２を備えたフロ−リング受台５の拡大縦断面図である。
【００５５】
図３ａ、ｂ、ｃにおいて、フロ−リング受台５の上面の一部に僅かな面積と深さの糊溜部２１を形成させ、フロ−リング受台５上に根太用フロ−リング７を載置するに際し、糊溜部２１に変成シリコ−ン系接着剤を滴下して用いる事により、根太用フロ−リング７が揺動しても接着が離反する恐れは少ない。
【００５６】
雌ザネ下板１２の下面側と接触するフロ−リング受台５面部分を除き、残余の根太用フロ−リング７下面側と接触するフロ−リング受台５上面に、１個以上複数個の適宜なフロ−リングずれ止め爪２２を、配管押え円盤３面より僅かに突出させて配設する。
【００５７】
雌ザネ下板１２の下面側を除外することで、フロ−リングずれ止め爪２２が強固に根太用フロ−リング７下面側に喰込み、根太用フロ−リング７が横ずれしたり浮上ることを更に床鳴りを効果的に防止する。
【００５８】
適宜なフロ−リングずれ止め爪２２としては、図３ｂに示す様に、フロ−リング受台５をプレスして鋸刃状に該ずれ止め爪２２を形成させたり、或るいは図３ｃに示す他例の様に、画鋲状若しくは釘状の該ずれ止め爪２２を形成させて用いることが出来る。他に、容易に安価に形成できれば、どの様なフロ−リングずれ止め爪２２を形成させて用いてもよい。
【００５９】
尚、該ずれ止め爪２２は、根太用フロ−リング７の下面側繊維方向木目に容易に喰込む形状が良い。個数としては、あまり多数個を用いると、根太用フロ−リング７を上から軽く叩込んだり、押さえ込んだりする程度の圧力で喰込ませるため、抵抗が大きく容易に喰込み難いので、１個を含む複数個程度の範囲内とし、適宜に選定して用いる。
【００６０】
円筒状台１に長尺放熱管２５を接触させながら配管する際に、フロ−リングずれ止め爪２２を配設したフロ−リング受台５を設けた状態で配管作業を行うと、配管押え円盤３面より僅かに突出させて配設したフロ−リングずれ止め爪２２が、配管作業用歩み板の下面側に喰込み作業性を悪化させる。よつて、配管作業時にはフロ−リング受台固定台２７から螺子２４を離脱させてフロ−リング受台５を離脱させて、長尺放熱管２５の配管作業を行う。配管終了後にフロ−リング受台５をフロ−リング受台固定台２７に螺着する。
【００６１】
図４ａは、配管案内兼床支持具Ａを配設した室内の平面図、図４ｂは図４ａのＣ−Ｃ部の断面図、図４ｃは支持具取付穴３４付き板状断熱材２８の平面図、図４ｄは支持具用座金３５の斜視図である。図４ａ図中の実直線は根太用フロ−リング７の雌ザネ端縁９と雄ザネ端縁２６の接合線を示す。図４ｂ中の矢印実線は根太用フロ−リング７の載置方向を示す。
【００６２】
図４ａ、ｂ、ｃ、ｄにおいて、配管案内兼床支持具Ａは根太用フロ−リング７を点支持する必要があり、床下張材３２に直接に螺子２４で螺着する場合に、床下張材３２の厚みが不足したり、床下張材３２の床根太３３間隔と配管案内兼床支持具Ａの所定の配設位置が一致せず、床荷重を支持出来ない場合がある。支持出来ない場合は、床下地板２３を床下張材３２上に二重張りすることで、床下張材３２の厚みの不足を補い、床根太３３間隔を考慮することなく、必要とする点位置に配管案内兼床支持具Ａを設けることが可能となる。
【００６３】
配管案内兼床支持具Ａを床下地板２３に螺着して用いるとき、所定の寸法を用いた床下地板２３に、用いる根太用フロ−リング７から割出した位置に配管案内兼床支持具Ａを螺着し、螺着した床下地板２３を、床暖房配管施工室に持込み、床下張材３２上に敷設して床下地板２３を床下張材３２に固着させる施工法と、床暖房配管施工室の床下張材３２上に床下地板２３を敷設固着させてから配管案内兼床支持具Ａを床下地板２３に螺着して用いる現場螺着施工法とが用いられる。適宜に何れかを選定して用いる。
【００６４】
配管案内兼床支持具Ａは、用いる根太用フロ−リング７の雌ザネ端縁９と雄ザネ端縁２６の接合線下の床下地板２３上に螺着して用いる。床荷重を支持可能な適宜な間隔で、対向位置や千鳥状位置を選定して螺子２４で螺着する。
【００６５】
室内で、出入口前、歩行通路、流し台前、食卓の椅子位置等の、歩行頻度の高い根太用フロ−リング７下に、雌ザネ端縁９と雄ザネ端縁２６の接合線以外の位置であつても、配管案内兼床支持具Ａを増配設すると、床鳴り等を効果的に防止することが出来る。適宜に用いる。
【００６６】
配管案内兼床支持具Ａを床下地板２３に螺着して用いるに際し、熱反射シ−ト付板状断熱材２８面に、用いる根太用フロ−リング７の幅寸法より割出した配管案内兼床支持具Ａの螺着位置に、底板４の直径に見合つた支持具取付穴３４を開穴し、配設した床下地板２３上に、該板状断熱材２８を全面に敷設し、支持具取付穴３４に配管案内兼床支持具Ａを挿入して螺着すると、より簡単に短時間に配管案内兼床支持具Ａを螺着することが出来る。
【００６７】
根太用フロ−リング７の床面は、水平が必要である。床下張材３２及び床下地板２３は事前に水平度を調整するが、水平度が不足する場合には、配管案内兼床支持具Ａを螺着している螺子２４を緩め、図４ｄに示す、薄い鋼板でなる支持具用座金３５を適宜な枚数を用いて、螺子用溝３７に螺子２４が納まる様に配管案内兼床支持具Ａと床下地板２３間に挿入して水平度を微調整することが出来る。挿入後に螺子２４を締め支持具用座金３５を固定させる。
【００６８】
図５ａは、一本の太い外径管の長尺放熱管２５を配管した室内の一部切欠平面図、図５ｂは図５ａのＤ−Ｄ部の断面図である。
【００６９】
図５ａ、ｂにおいて、床下地板２３上の前述した所定の位置に螺着された配管案内兼床支持具Ａに太い外径管の長尺放熱管２５を接触させ案内させて、熱反射シ−ト付板状断熱材２８面上に配管すると配管押え円盤３が太い外径管の長尺放熱管２５の跳ね上りを押さえ、効率よく容易に設計配管路に近似の配管をすることが出来る。熱反射シ−ト付板状断熱材２８は放熱管熱が床下地板２３側に漏熱することを防止しながら根太用フロ−リング７側に熱反射させる。
【００７０】
配管終了後に根太用フロ−リング７を配管案内兼床支持具Ａ上に載置敷設するに際し、事前に、床下地板２３上の室内四周辺に床受け根太３６を配設する。左壁３８側の床受け根太３６上に、第一番目の根太用フロ−リング７の雄ザネ１９側が載るように根太用フロ−リング７を床受け根太３６と配管案内兼床支持具Ａ上に載置する。
【００７１】
載置した雄ザネ１９側縁を床受け根太３６に釘４０で釘打ちする必要がある。それは第一番目の根太用フロ−リング７を釘打固定しなければ、フロ−リング薄板固定具Ｂ又はフロ−リング厚板固定具Ｃのみでは第一番目の根太用フロ−リング７が固定しないからである。雄ザネ１９側を釘打固定した第一番目の根太用フロ−リング７の雌ザネ８内に、フロ−リング薄板固定具Ｂ又はフロ−リング厚板固定具Ｃを挿入して螺着することで第一番目の根太用フロ−リング７は確実に固定されることになる。第二番目、第三番目の根太用フロ−リング７が順次に載置固定され最終番目の根太用フロ−リング７縁も、床受け根太３６に釘打固定することにより、全室内に根太用フロ−リング７の敷設固定が完了する。釘４０頭は室内四周辺に配設する幅木３９により隠すことが出来る。
【００７２】
根太用フロ−リング７下の太い外径管の長尺放熱管２５の点検や漏水に際し、又は根太用フロ−リング７の更新に際して、根太用フロ−リング７を離脱させる必要時には、最終番目の根太用フロ−リング７の床受け根太３６に釘打固定した釘４０を離脱させ、最終番目の根太用フロ−リング７の雄ザネ１９を雌ザネ８内から離脱させ、次にフロ−リング薄板固定具Ｂ又はフロ−リング厚板固定具Ｃを固定している螺子２４の螺着を解除することで、根太用フロ−リング７は容易に離脱する。
【００７３】
図６ａは、太い外径管の長尺放熱管２５を２段重ね及び並列配管した室内の一部切欠平面図、図６ｂは図６ａのＥ−Ｅ部の断面図である。
【００７４】
図６ａ、ｂにおいて、床下地板２３上の前述した所定の位置に螺着された配管案内兼床支持具Ａは、円筒状台１の高さを太い外径管の長尺放熱管２５を２段重ね可能とする高さと、配管押え円盤３の幅を並列配管可能とする幅を持たせてある。
【００７５】
一系統の太い外径管の長尺放熱管２５を２段重ねや並列配管して用いたり、二系統の太い外径管の長尺放熱管２５を２段重ねや並列配管して用いることが出来る。二系統の配管を用いると室内温度の調節が微調整できる効果がある。太い外径管の長尺放熱管２５を用いて低温水を循環させるため、太い外径管の長尺放熱管２５が交叉接触しても放熱管が損傷することはない。
【００７６】
根太用フロ−リング７の床面上で、例えば冷蔵庫、流し台、戸棚等の配置予定の床面下部で床暖房不要の床内には、太い外径管の長尺放熱管２５を配管せずに、その床内空間に無機繊維系断熱材を挿入することで、床暖房不要の床面下を断熱することが出来る。
【図面の簡単な説明】
【００７７】
【図１】図１ａはフロ−リング薄板固定具Ｂを用いた根太用フロ−リング固定具付配管案内兼床支持具Ａの一部切欠斜視図、図１ｂは平面図、図１ｃは図１ｂのＡ−Ａ部の断面図、図１ｄはフロ−リング薄板固定具Ｂの斜視図である。
【図２】図２ａはフロ−リング厚板固定具Ｃを用いた根太用フロ−リング固定具付配管案内兼床支持具Ａの縦断面図、図２ｂは雌ザネ８内部に雌ザネ奥行用厚板１６が入つた状態を示す拡大縦断面図、図２ｃはフロ−リング厚板固定具Ｃの斜視図、図２ｄは雄ザネ１９の雌ザネ奥行用厚板挿入部２０を示す斜視図である。
【図３】図３ａは糊溜部２１とフロ−リングずれ止め爪２２を備えたフロ−リング受台５を有する配管案内兼床支持具Ａの平面図、図３ｂは図３ａのＢ−Ｂ部の断面図、図３ｃは他例のフロ−リングずれ止め爪２２を備えたフロ−リング受台５の拡大縦断面図である。
【図４】図４ａは、配管案内兼床支持具Ａを配設した室内の平面図、図４ｂは図４ａののＣ−Ｃ部の断面図、図４ｃは支持具取付穴３４を開孔した熱反射シ−ト付板状断熱材２８の平面図、図４ｄは支持具用座金３５の斜視図である。
【図５】図５ａは、一本の太い外径管の長尺放熱管２５を配管した室内の一部切欠平面図、図５ｂは図５ａのＤ−Ｄ部の断面図である。
【図６】図６ａは、太い外径管の長尺放熱管２５を２段重ね及び並列配管した室内の一部切欠平面図、図６ｂは図６ａのＥ−Ｅ部の断面図である。
【符号の説明】
【００７８】
Ａ  配管案内兼床支持具
Ｂ  フロ−リング薄板固定具
Ｃ  フロ−リング厚板固定具
１  円筒状台
１ａ  左側円筒状台
１ｂ  右側円筒状台
２  円筒端縁
３  配管押え円盤
４  底板
５  フロ−リング受台
６  荷重受壁面
７  根太用フロ−リング
８  雌ザネ  ９  雌ザネ端縁
１０  奥壁
１１  雌ザネ奥壁用薄板
１２  雌ザネ下板
１３  雌ザネ奥行用薄板
１４  雌ザネ引張用薄板
１５  固定用薄板
１６  雌ザネ奥行用厚板
１７  雌ザネ引張用厚板
１８  固定用厚板
１９  雄ザネ
２０  雌ザネ奥行用厚板挿入部
２１  糊溜部  
２２  フロ−リングずれ止め爪
２３  床下地板  
２４  螺子
２５  太い外径管の長尺放熱管
２６  雄ザネ端縁  
２７  フロ−リング受台固定台
２８  熱反射シ−ト付板状断熱材
２９  スプリング座金
３０  Ｌ状引張座金
３１  フロ−リング固定具螺着部
３２  床下張材
３３  床根太  
３４  支持具取付穴
３５  支持具用座金
３６  床受け根太
３７  螺子用溝
３８  左壁
３９  幅木
４０  釘
【図１】
2005220678.tif 000003
【図２】
2005220678.tif 000004
【図３】
2005220678.tif 000005
【図４】
2005220678.tif 000006
【図５】
2005220678.tif 000007
【図６】
2005220678.tif 000008